(57)【要約】【課題】生体内の対象部位の動きが捉えられた動態画像を用いた高精度な診断が実現され得る技術を提供する。【解決手段】生体における対象部位の外縁のうちの時間の経過に応じて移動しながら変形する移動変形部分が捉えられた動態画像が取得される。そして、該動態画像を構成する２以上のフレーム画像の各フレーム画像を対象として、該フレーム画像のうちの移動変形部分に対応するエッジ領域の形状を示す形状情報が認識される。ここで各フレーム画像を対象として認識された形状情報に基づき、時間の経過に応じた移動変形部分の変形の度合いに係る変形評価値が算出される。【選択図】図２
2019171102.tif 000002
【特許請求の範囲】
【請求項１】
生体における対象部位の外縁のうちの時間の経過に応じて移動しながら変形する移動変形部分が捉えられた動態画像を取得する取得部と、
前記動態画像を構成する２以上のフレーム画像の各フレーム画像を対象として、該フレーム画像の前記移動変形部分に対応するエッジ領域の形状を示す形状情報を認識する認識部と、
前記認識部によって前記各フレーム画像を対象として認識された前記形状情報に基づき、時間の経過に応じた前記移動変形部分の変形の度合いに係る変形評価値を算出する算出部と、
を備えることを特徴とする画像処理装置。
【請求項２】
請求項１に記載の画像処理装置であって、
前記移動変形部分が、横隔膜の外縁であることを特徴とする画像処理装置。
【請求項３】
請求項１または請求項２に記載の画像処理装置であって、
前記認識部が、
前記動態画像を構成する、２以上のフレーム画像をそれぞれ含む２以上の組のフレーム画像における各フレーム画像を対象として、前記形状情報を認識し、
前記算出部が、
前記２以上の組のフレーム画像のうちの各組のフレーム画像を対象として、前記認識部によって認識された前記形状情報に基づき、前記変形評価値を算出することを特徴とする画像処理装置。
【請求項４】
請求項３に記載の画像処理装置であって、
前記動態画像において、前記各組のフレーム画像を構成する２以上のフレーム画像におけるフレーム画像の間隔が一定であることを特徴とする画像処理装置。
【請求項５】
請求項３または請求項４に記載の画像処理装置であって、
前記算出部が、
前記２以上の組のフレーム画像を対象として算出した複数の前記変形評価値に係る統計値を算出することを特徴とする画像処理装置。
【請求項６】
請求項５に記載の画像処理装置であって、
前記統計値には、
前記複数の変形評価値の最大値、最小値、中央値および平均値の少なくとも１つの値が含まれることを特徴とする画像処理装置。
【請求項７】
請求項１から請求項６の何れか１つの請求項に記載の画像処理装置であって、
前記算出部が、
前記２以上のフレーム画像の各フレーム画像を対象として、前記認識部によって認識された前記形状情報に基づき、前記エッジ領域の形状に対応する形状指標値をそれぞれ算出する指標算出部と、
前記２以上のフレーム画像の間における前記形状指標値の変化の度合いに係る前記変形評価値を算出する評価値算出部と、
を有することを特徴とする画像処理装置。
【請求項８】
請求項７に記載の画像処理装置であって、
前記形状指標値には、
前記エッジ領域に対する、近似直線の傾き、近似円の曲率および近似関数の係数、ならびに前記近似直線と前記移動変形部分に含まれる１カ所以上に対応する１以上の点とのずれの度合いを示す値の少なくとも１つの数値が含まれることを特徴とする画像処理装置。
【請求項９】
請求項８に記載の画像処理装置であって、
前記ずれの度合いを示す値が、
前記エッジ領域における複数の点と前記近似直線との距離に係る統計値を含むことを特徴とする画像処理装置。
【請求項１０】
請求項１から請求項６の何れか１つの請求項に記載の画像処理装置であって、
前記形状情報が、
前記移動変形部分に含まれる１カ所以上に対応する１以上の点の絶対的な位置を示す位置情報を含み、
前記算出部が、
前記２以上のフレーム画像の各フレーム画像を対象として前記認識部によって認識された前記形状情報に基づき、前記エッジ領域における複数の点を対象として、前記２以上のフレーム画像の間における変位に応じた変位指標値をそれぞれ算出する指標算出部と、
前記複数の点の間における前記変位指標値のばらつきの度合いを示す前記変形評価値を算出する評価値算出部と、
を有することを特徴とする画像処理装置。
【請求項１１】
請求項１０に記載の画像処理装置であって、
前記ばらつきの度合いには、
前記複数の点の間における前記変位指標値についての差分値、比率および統計値の少なくとも１つの値が含まれることを特徴とする画像処理装置。
【請求項１２】
請求項１から請求項１１の何れか１つの請求項に記載の画像処理装置であって、
前記エッジ領域には、
線状の領域および面状の領域の少なくとも一方の領域が含まれることを特徴とする画像処理装置。
【請求項１３】
画像処理装置に含まれる制御部において実行されることにより、前記画像処理装置を、請求項１から請求項１２の何れか１つの請求項に記載の画像処理装置として機能させるプログラム。
【請求項１４】
（ａ）生体における対象部位の外縁のうちの時間の経過に応じて移動しながら変形する移動変形部分が捉えられた動態画像を取得する取得ステップと、
（ｂ）前記取得ステップにおいて取得された前記動態画像を構成する２以上のフレーム画像の各フレーム画像を対象として、該フレーム画像の前記移動変形部分に対応するエッジ領域の形状を示す形状情報を認識する認識ステップと、
（ｃ）前記認識ステップにおいて前記各フレーム画像を対象として認識された前記形状情報に基づき、時間の経過に応じた前記移動変形部分の変形の度合いに係る変形評価値を算出する算出ステップと、
を備えることを特徴とする画像処理方法。
【発明の詳細な説明】
【技術分野】
【０００１】
本発明は、生体の部位が捉えられた動態画像を対象とした画像処理を行うための画像処理装置、画像処理方法、およびプログラムに関する。
【背景技術】
【０００２】
慢性閉塞性疾患（ＣＯＰＤ）の診断は、スパイロメーターを用いた呼吸機能の検査（スパイロ検査とも言う）によって行われることが多い。このスパイロ検査では、肺活量および息を吐くときの空気の通り易さが調べられる。但し、スパイロ検査では、努力して呼吸を行うことが患者に強いられるため、患者への負担が大きく、患者の恣意によって検査結果が変わるため、検査結果の再現性および信頼性が低かった。
【０００３】
ところで、近年では、デジタル技術の適用によって、Ｘ線撮影によって患部の動きを捉えた画像（Ｘ線動態画像とも言う）が比較的容易に得られる。例えば、ＦＰＤ（flat panel detector）等の半導体イメージセンサーを用いた撮影によって、検査および診断の対象となる部位（対象部位とも言う）を含む構造物を捉えたＸ線動態画像が取得される（例えば、特許文献１等）。これにより、造影剤を用いることなく、比較的簡易な構成によって、Ｘ線動態画像が取得され得る。また、従来のＸ線撮影によって得られる静止画像を用いた診断では実施できなかった、対象部位の動きの解析による診断が可能となる。
【先行技術文献】
【特許文献】
【０００４】
【特許文献１】特開２００９−１３６５７３号公報
【発明の概要】
【発明が解決しようとする課題】
【０００５】
しかしながら、ＦＰＤ等によって得られるＸ線動態画像を用いた診断については、医師の視覚的な判断に依るところが大きく、医師の熟練度等によって診断結果にばらつきが生じ易い。
【０００６】
このような問題は、Ｘ線撮影によって得られるＸ線動態画像に限られず、例えば、超音波および核磁気共鳴等と言ったその他の手法によって得られる生体内の部位の動きが捉えられた動態画像一般に共通する。
【０００７】
本発明は、上記課題に鑑みてなされたものであり、生体内の対象部位の動きが捉えられた動態画像を用いた高精度な診断が実現され得る技術を提供することを目的とする。
【課題を解決するための手段】
【０００８】
上記課題を解決するために、第１の態様に係る画像処理装置は、生体における対象部位の外縁のうちの時間の経過に応じて移動しながら変形する移動変形部分が捉えられた動態画像を取得する取得部と、前記動態画像を構成する２以上のフレーム画像の各フレーム画像を対象として、該フレーム画像の前記移動変形部分に対応するエッジ領域の形状を示す形状情報を認識する認識部と、前記認識部によって前記各フレーム画像を対象として認識された前記形状情報に基づき、時間の経過に応じた前記移動変形部分の変形の度合いに係る変形評価値を算出する算出部と、を備える。
【０００９】
第２の態様に係る画像処理装置は、第１の態様に係る画像処理装置であって、前記移動変形部分が、横隔膜の外縁である。
【００１０】
第３の態様に係る画像処理装置は、第１または第２の態様に係る画像処理装置であって、前記認識部が、前記動態画像を構成する、２以上のフレーム画像をそれぞれ含む２以上の組のフレーム画像における各フレーム画像を対象として、前記形状情報を認識し、前記算出部が、前記２以上の組のフレーム画像のうちの各組のフレーム画像を対象として、前記認識部によって認識された前記形状情報に基づき、前記変形評価値を算出する。
【００１１】
第４の態様に係る画像処理装置は、第３の態様に係る画像処理装置であって、前記動態画像において、前記各組のフレーム画像を構成する２以上のフレーム画像におけるフレーム画像の間隔が一定である。
【００１２】
第５の態様に係る画像処理装置は、第３または第４の態様に係る画像処理装置であって、前記算出部が、前記２以上の組のフレーム画像を対象として算出した複数の前記変形評価値に係る統計値を算出する。
【００１３】
第６の態様に係る画像処理装置は、第５の態様に係る画像処理装置であって、前記統計値には、前記複数の変形評価値の最大値、最小値、中央値および平均値の少なくとも１つの値が含まれる。
【００１４】
第７の態様に係る画像処理装置は、第１から第６の何れか１つの態様に係る画像処理装置であって、前記算出部が、前記２以上のフレーム画像の各フレーム画像を対象として、前記認識部によって認識された前記形状情報に基づき、前記エッジ領域の形状に対応する形状指標値をそれぞれ算出する指標算出部と、前記２以上のフレーム画像の間における前記形状指標値の変化の度合いに係る前記変形評価値を算出する評価値算出部と、を有する。
【００１５】
第８の態様に係る画像処理装置は、第７の態様に係る画像処理装置であって、前記形状指標値には、前記エッジ領域に対する、近似直線の傾き、近似円の曲率および近似関数の係数、ならびに前記近似直線と前記移動変形部分に含まれる１カ所以上に対応する１以上の点とのずれの度合いを示す値の少なくとも１つの数値が含まれる。
【００１６】
第９の態様に係る画像処理装置は、第８の態様に係る画像処理装置であって、前記ずれの度合いを示す値が、前記エッジ領域における複数の点と前記近似直線との距離に係る統計値を含む。
【００１７】
第１０の態様に係る画像処理装置は、第１から第６の何れか１つの態様に係る画像処理装置であって、前記形状情報が、前記移動変形部分に含まれる１カ所以上に対応する１以上の点の絶対的な位置を示す位置情報を含み、前記算出部が、前記２以上のフレーム画像の各フレーム画像を対象として前記認識部によって認識された前記形状情報に基づき、前記エッジ領域における複数の点を対象として、前記２以上のフレーム画像の間における変位に応じた変位指標値をそれぞれ算出する指標算出部と、前記複数の点の間における前記変位指標値のばらつきの度合いを示す前記変形評価値を算出する評価値算出部と、を有する。
【００１８】
第１１の態様に係る画像処理装置は、第１０の態様に係る画像処理装置であって、前記ばらつきの度合いには、前記複数の点の間における前記変位指標値についての差分値、比率および統計値の少なくとも１つの値が含まれる。
【００１９】
第１２の態様に係る画像処理装置は、第１から第１１の何れか１つの態様に係る画像処理装置であって、前記エッジ領域には、線状の領域および面状の領域の少なくとも一方の領域が含まれる。
【００２０】
第１３の態様に係るプログラムは、画像処理装置に含まれる制御部において実行されることにより、前記画像処理装置を、第１から第１２の何れか１つの態様に係る画像処理装置として機能させるプログラムである。
【００２１】
第１４の態様に係る画像処理方法は、（ａ）生体における対象部位の外縁のうちの時間の経過に応じて移動しながら変形する移動変形部分が捉えられた動態画像を取得する取得ステップと、（ｂ）前記取得ステップにおいて取得された前記動態画像を構成する２以上のフレーム画像の各フレーム画像を対象として、該フレーム画像の前記移動変形部分に対応するエッジ領域の形状を示す形状情報を認識する認識ステップと、（ｃ）前記認識ステップにおいて前記各フレーム画像を対象として認識された前記形状情報に基づき、時間の経過に応じた前記移動変形部分の変形の度合いに係る変形評価値を算出する算出ステップと、を備える。
【発明の効果】
【００２２】
第１から第１２の何れの態様に係る画像処理装置によっても、生体内の対象部位の動きが捉えられた動態画像を用いた高精度な診断が実現され得る。
【００２３】
第３から第６の何れの態様に係る画像処理装置によっても、時間の経過に応じて変化する対象部位の変形に係る評価値が得られるため、高精度な診断が容易に実現され得る。
【００２４】
第４の態様に係る画像処理装置によれば、時間の経過に応じた対象部位の変形に係る情報が容易に取得され得る。
【００２５】
第５および第６の何れの態様に係る画像処理装置によっても、対象部位の動きが捉えられた動態画像を用いた高精度な診断が容易に実現され得る。
【００２６】
第７から第１１の何れの態様に係る画像処理装置によっても、対象部位の変形に係る評価値が容易に算出され得る。
【００２７】
第１３の態様に係るプログラムによれば、第１から第１２の態様のそれぞれに係る画像処理装置と同様な効果を得ることができる。
【００２８】
第１４の態様に係る画像処理方法によれば、第１の態様に係る画像処理装置と同様な効果を得ることができる。
【図面の簡単な説明】
【００２９】
【図１】一実施形態に係る画像処理装置の構成を例示するブロック図である。
【図２】変形解析処理に係る機能的な構成を例示するブロック図である。
【図３】動態画像を構成する複数のフレーム画像を例示する図である。
【図４】各フレーム画像から横隔膜の外縁が線状に認識される一例を示す図である。
【図５】各フレーム画像から横隔膜の外縁が線状に認識される一例を示す図である。
【図６】各フレーム画像から横隔膜の外縁が点状に認識される一例を示す図である。
【図７】横隔膜の外縁に係る近似直線が求められる一態様を例示する図である。
【図８】横隔膜の外縁に係る近似直線が求められる一態様を例示する図である。
【図９】横隔膜の外縁に係る近似円が求められる一態様を例示する図である。
【図１０】横隔膜の外縁に係る近似関数が求められる一態様を例示する図である。
【図１１】横隔膜の外縁に係る変位指標値の算出方法を説明するための図である。
【図１２】フレームの順番と変位指標値との関係を例示するグラフである。
【図１３】フレームの順番と変位指標値との関係を例示するグラフである。
【図１４】変形解析処理の動作フローを例示するフローチャートである。
【発明を実施するための形態】
【００３０】
以下、本発明の一実施形態および変形例を図面に基づいて説明する。なお、図面においては、同様な構成および機能を有する部分については同じ符号が付されており、下記説明では重複する説明が省略される。また、図面は模式的に示されたものであり、異なる図面にそれぞれ示されている画像のサイズおよび位置の相互関係は、必ずしも正確に記載されたものではなく、適宜変更され得る。なお、図３から図６には、画像の左上を原点とし、右方向をＸ方向、下方向をＹ方向とするＸＹ座標系が付されている。また、図７から図１１には、右方向をＸ方向、下方向をＹ方向とするＸＹ座標系が付されている。さらに、図３および図４には、各フレーム画像Ｆｘの撮影時刻に対応する時間軸が付されている。
【００３１】
＜(１)画像処理装置の概要＞
図１は、一実施形態に係る画像処理装置１の構成を例示するブロック図である。図１で示されるように、画像処理装置１は、制御部２、記憶部３、インターフェイス（Ｉ／Ｆ）部４、表示部５および操作部６がバスライン７に接続された一般的なコンピューターと同様な構成を有する。
【００３２】
制御部２は、例えば、ＣＰＵ等のプロセッサー２ａ、および揮発性のＲＡＭ等のメモリー２ｂ等を有する。プロセッサー２ａは、記憶部３に記憶されているプログラムＰ１を読み出して、該プログラムＰ１に従った各種処理を実行する。これにより、動態画像で捉えられた生体内の診断の対象となる部位（対象部位とも言う）の動きを解析する処理（変形解析処理とも言う）が実現される。すなわち、プログラムＰ１がプロセッサー２ａで実行されることにより、変形解析処理を実行する画像処理装置１の機能が実現される。
【００３３】
記憶部３は、例えば、不揮発性の半導体メモリーあるいはハードディスク等を備えており、プログラムＰ１および各種データを記憶する。各種データには、プログラムＰ１に従った処理の実行に必要なパラメーター等を示すデータ、および演算処理の結果として少なくとも一時的に生成されるデータ等が含まれ得る。
【００３４】
Ｉ／Ｆ部４は、画像処理装置１の外部に配されている各種機器に対し、各種通信回線を介して、データの送受信が可能に接続される。例えば、Ｉ／Ｆ部４は、該Ｉ／Ｆ部４に対してデータの送受信が可能に接続されている外部装置１００から、動態画像Ｄ１を取得する。ここで、外部装置１００には、モダリティー、サーバーおよび他のパーソナルコンピューター（パソコンとも言う）等の各種機器が含まれ得る。なお、モダリティーには、例えば、ＦＰＤ（flat panel detector）等のＸ線を用いた動態画像の撮影が可能な医用の撮影装置が含まれ得る。
【００３５】
また、動態画像Ｄ１は、生体における対象部位の外縁のうちの時間の経過に応じて移動しながら変形する部分（移動変形部分とも言う）が捉えられた画像である。生体には、例えば、ヒト等を含む各種動物が含まれ得る。対象部位には、例えば、横隔膜および心臓等と言った時間の経過に応じて外縁が体内を移動しながら変形する部位が含まれ得る。対象部位の外縁は、例えば、対象部位と他の部位との境界部分によって形成され得る。本実施形態では、生体が被検者としてのヒトであり、対象部位が左右の横隔膜である。
【００３６】
表示部５は、各種画像データを可視的に出力する。該表示部５は、例えば、液晶表示ディスプレイ（ＬＣＤ）等の各種ディスプレイ装置を有する。
【００３７】
操作部６は、例えば、キーボードおよびマウス等のポインティングデバイス等を有する。操作部６では、キーボードおよびマウス等に対する操作に応じて生じる信号（指示信号とも言う）が制御部２に出力される。なお、操作部６には、タッチパネル等の構成が採用されても良い。
【００３８】
＜(２)変形解析処理に係る機能的な構成＞
変形解析処理では、動態画像Ｄ１（図３）が取得され、該動態画像Ｄ１を構成する各フレーム画像ＦＸ（Ｘは、１〜Ｎの自然数）が対象とされて、移動変形部分の形状に関する情報（形状関連情報とも言う）が認識される。そして、認識された形状関連情報に基づき、時間の経過に応じた移動変形部分の変形の度合いに係る評価値（変形評価値とも言う）が算出される。これにより、変形評価値を用いた診断によって、生体内の対象部位の動きが捉えられた動態画像Ｄ１を用いた高精度な診断が実現され得る。
【００３９】
図２は、制御部２で実現される変形解析処理に係る機能的な構成を例示するブロック図である。図２で示されるように、制御部２は、該制御部２で実現される機能的な構成として、取得部２１、認識部２２、算出部２３および出力制御部２４を有している。
【００４０】
本実施形態では、動態画像Ｄ１のデータが取得部２１に入力されると、例えば、認識部２２および算出部２３において順に演算処理が行われ、出力制御部２４によって演算処理の結果に係る情報が出力される。図３は、動態画像Ｄ１を構成する複数のフレーム画像Ｆ１〜ＦＮ（Ｎは自然数）を例示する図である。
【００４１】
＜(２−１)取得部＞
取得部２１は、動態画像Ｄ１を取得する。ここで取得される動態画像Ｄ１は、例えば、モダリティーで得られた直後のものであっても良いし、モダリティーで予め得られてサーバーまたはパソコン等の各種機器に記憶されているものであっても良い。
【００４２】
なお、動態画像Ｄ１の撮影時には、少なくとも診断の対象となる対象部位が動態画像Ｄ１で捉えられれば良い。このとき、対象部位以外の他の部位が動態画像Ｄ１で極力捉えられないようにすることで、他の部位における被爆量が低減され、被検者に対する負担が低減され得る。一方、対象部位以外の他の部位が動態画像Ｄ１で捉えられていれば、対象部位だけでなく、他の部位も含めた総合的な解析および診断の実現が可能となる。また、動態画像Ｄ１のフレームレートは、対象部位の移動および変形におけるスピードおよび周期に応じて、変形解析処理に適した値域内の値に設定され得る。
【００４３】
＜(２−２)認識部＞
認識部２２は、取得部２１で取得された動態画像Ｄ１を構成する２以上のフレーム画像の各フレーム画像ＦＸを対象として、移動変形部分の形状に関する形状関連情報を認識する。形状関連情報には、位置情報および形状情報の少なくとも一方の情報が含まれ得る。
【００４４】
位置情報は、フレーム画像ＦＸのうちの移動変形部分に含まれる２カ所以上に対応する２以上の点の絶対的な位置および相対的な位置関係の少なくとも一方を示す情報である。なお、点の絶対的な位置は、例えば、フレーム画像ＦＸにおける画素の座標等で示され得る。相対的な位置は、例えば、２以上の点のうちの１点が基準とされて他の点の位置が座標の差分等で示され得る。また、形状情報は、フレーム画像ＦＸのうちの移動変形部分に対応する領域（エッジ領域とも言う）ＬＸの形状を示す情報である。本実施形態では、エッジ領域ＬＸは、線状の形状を有する。
【００４５】
ここで、認識部２２による位置情報の認識には、例えば、移動変形部分に対応する線状に配されている２カ所以上の画素の位置の認識（線状認識とも言う）、および移動変形部分に含まれる離散的な２カ所以上の画素の位置の認識（点状認識とも言う）等が含まれる。なお、移動変形部分に対応する線状に配されている２カ所以上の画素は、エッジ領域ＬＸを成す。また、認識部２２による形状情報の認識には、例えば、線状のエッジ領域（線状エッジ領域とも言う）ＬＸの形状を示す関数の認識等が含まれる。
【００４６】
また、本実施形態では、認識部２２によって、動態画像Ｄ１を構成する、２以上のフレーム画像ＦＸをそれぞれ含む２以上の組のフレーム画像ＦＸにおける各フレーム画像ＦＸが対象とされて、形状関連情報が認識される。これにより、時間の経過に応じて変化する対象部位の変形に係る評価値が、算出部２３において算出され、高精度な診断が容易に実現され得る。ここで、動態画像Ｄ１において、各組のフレーム画像ＦＸを構成する２以上のフレーム画像ＦＸにおけるフレーム画像ＦＸの間隔が一定であれば、時間の経過に応じた対象部位の変形に係る情報が容易に取得され得る。
【００４７】
＜(２−２−１)位置情報の線状認識＞
図４は、動態画像Ｄ１の各フレーム画像ＦＸから、横隔膜の外縁の移動変形部分に対応する線状エッジ領域ＬＸ（Ｘは１〜Ｎの自然数）が認識される様子を例示する図である。図４では、健常者の一般的な横隔膜の外縁に対応する線状エッジ領域ＬＸが例示されている。一方、図５では、重症の慢性閉塞性疾患（ＣＯＰＤ）の患者における横隔膜の外縁に対応する線状エッジ領域ＬＸが例示されている。
【００４８】
位置情報の線状認識は、例えば、画像からエッジを抽出する種々の処理が採用されることで実現され得る。例えば、公知の画像処理技術（例えば、“Image feature analysis and computer-aided diagnosis: Accurate determination of ribcage boundary in chest radiographs”, Xin-Wei Xu and Kunio Doi, Medical Physics, Volume 22(5), May 1995, pp.617-626.等参照）が採用されることで、画像から対象部位と他の部位との境界線が自動的に認識され得る。
【００４９】
また、各フレーム画像ＦＸから横隔膜に係る線状エッジ領域ＬＸを抽出する他の処理としては、例えば、画像で捉えられている被写体のエッジ（輪郭）を抽出する公知の処理（エッジ抽出処理とも言う）等も考えられる。具体的には、例えば、各フレーム画像ＦＸについて、フレーム画像ＦＸを対象としたエッジ抽出処理によって、対象部位としての横隔膜を含む肺野のエッジが抽出される。そして、該エッジのうち、横隔膜の移動方向に略垂直であるＸ軸方向にある程度沿って伸びる部分が、各Ｘ座標について＋Ｙ側から−Ｙ側に向けて探索される。これにより、フレーム画像ＦＸから横隔膜の外縁に係る線状エッジ領域ＬＸが抽出され得る。
【００５０】
このとき、図４で示されるように、健常者については、左右の横隔膜の外縁に対応する線状エッジ領域ＬＸがそれぞれ一本の連続する曲線として検出され得る。図４には、左横隔膜に係る線状エッジ領域ＬＸＬおよび右横隔膜に係る線状エッジ領域ＬＸＲが例示されている。一方、図５で示されるように、重症のＣＯＰＤの患者については、左右の横隔膜の外縁に対応する線状エッジ領域ＬＸが、それぞれ複数本の連続する曲線が不連続な状態で連結された態様で検出され得る。図５には、２本の連続する曲線が不連続な状態で連結されている右横隔膜に係る線状エッジ領域ＬＸＲが例示されている。
【００５１】
なお、例えば、各フレーム画像ＦＸが順に表示部５に可視的に出力され、ユーザーによる操作部６の操作に応答して各フレーム画像ＦＸ上において線状エッジ領域ＬＸがそれぞれ手動で指定されることで、各線状エッジ領域ＬＸが認識される態様が採用されても良い。
【００５２】
＜(２−２−２)位置情報の点状認識＞
図６は、動態画像Ｄ１の各フレーム画像ＦＸから、移動変形部分としての左右の横隔膜のそれぞれの外縁の２カ所以上に対応する２以上の点ＰＸ（Ｘは１〜Ｎの自然数）の位置情報が認識される様子を例示する図である。図６には、右横隔膜に係る２以上の点ＰＸＲ（具体的には、３つの点ＰＸＲ１〜ＰＸＲ３）および左横隔膜に係る２以上の点ＰＸＬ（具体的には、３つの点ＰＸＬ１〜ＰＸＬ３）が例示されている。
【００５３】
ここでは、例えば、上述した位置情報の線状認識が行われた後に、線状エッジ領域ＬＸ上において、２以上の所望の点ＰＸが認識され得る。また、位置情報の線状認識が行われていない場合には、例えば、１つのフレーム画像ＦＸ上で指定された２以上の所望の点ＰＸにそれぞれ対応する点が、他の各フレーム画像ＦＸ上において認識される態様が採用されても良い。ここで、１つのフレーム画像ＦＸ上における２以上の所望の点ＰＸの指定は、例えば、該１つのフレーム画像ＦＸが表示部５に可視的に出力された状態で、ユーザーによる操作部６の操作によって実現され得る。この場合、他の各フレーム画像ＦＸ上において２以上の所望の点ＰＸにそれぞれ対応する点は、例えば、テンプレートマッチングまたは位相限定相関法（ＰＯＣ）等と言った対応点を探索する公知の各種処理によって認識され得る。なお、例えば、各フレーム画像ＦＸが順に表示部５に可視的に出力され、ユーザーによる操作部６の操作に応答して各フレーム画像ＦＸ上において２以上の所望の点ＰＸがそれぞれ手動で指定されることで、各所望の点ＰＸが認識される態様が採用されても良い。
【００５４】
所望の点ＰＸは、例えば、算出部２３で算出される変形評価値の種類に応じた点に設定され得る。具体的には、例えば、呼吸が行われている際の横隔膜に係る線状エッジ領域ＬＸの傾きの変化に基づいて横隔膜の変形が評価される場合であれば、線状エッジ領域ＬＸのうちの少なくとも両端の近傍の２点が、所望の点ＰＸとして認識される態様が採用され得る。ところで、横隔膜が捉えられたフレーム画像ＦＸでは、肋横角の付近が不明瞭となり易いため、線状エッジ領域ＬＸのうちの両端よりも中央に寄った点が、所望の点ＰＸとして認識されれば、算出部２３で算出される変形評価値の信頼性が向上し得る。なお、図６には、右横隔膜に係る両端の近傍の点ＰＸＲ１，ＰＸＲ３および左横隔膜に係る両端の近傍の点ＰＸＬ１，ＰＸＬ３が例示されている。
【００５５】
また、線状エッジ領域ＬＸが、上に凸の曲線であり且つ両端の近傍以外の部分において頂点部を有する場合には、該頂点部が、２以上の所望の点ＰＸの１つとして設定されても良い。なお、図６には、右横隔膜に係る頂点部の点ＰＸＲ２および左横隔膜に係る頂点部の点ＰＸＬ２が例示されている。なお、２以上の所望の点ＰＸは、例えば、線状エッジ領域ＬＸのうちの両端の近傍の２点のうちの何れか一方の点と頂点部の点とからなる２点であっても良いし、線状エッジ領域ＬＸのうちの両端の近傍の２点と頂点部の点とからなる３点であっても良い。また、２以上の所望の点ＰＸは、２点および３点に限られず、４点以上であっても良い。
【００５６】
＜(２−２−３)形状情報の認識＞
認識部２２において線状エッジ領域ＬＸの形状情報が認識される処理としては、例えば、上述した位置情報の線状認識によって線状エッジ領域ＬＸが認識された後に、線状エッジ領域ＬＸの形状を示す関数が求められる処理が採用され得る。ここで、線状エッジ領域ＬＸの形状を示す関数としては、例えば、フレーム画像上におけるＸ座標とＹ座標との関係を示す２次以上の関数が採用され得る。なお、このとき、線状エッジ領域ＬＸの形状情報としての線状エッジ領域ＬＸの形状を示す関数は、線状エッジ領域ＬＸ上の全ての点についての絶対的な位置および相対的な位置関係を示し得る。
【００５７】
＜(２−３)算出部＞
算出部２３は、認識部２２によって各フレーム画像ＦＸを対象として認識された形状関連情報に基づき、時間の経過に応じた移動変形部分の変形の度合いに係る評価値（変形評価値）を算出する。変形評価値は、対象部位としての横隔膜の変形を評価する値であり、２以上のフレーム画像ＦＸに係る形状関連情報から算出され得る。本実施形態では、算出部２３によって、２以上の組のフレーム画像ＦＸのうちの各組のフレーム画像ＦＸが対象とされて、認識部２２によって認識された形状関連情報に基づき、変形評価値が算出される。これにより、時間の経過に応じて変化する対象部位としての横隔膜の変形の度合いに係る変形評価値の情報が得られる。その結果、高精度な診断が容易に実現され得る。
【００５８】
また、算出部２３は、上述したように２以上の組のフレーム画像ＦＸを対象として算出した複数の変形評価値について、統計値（変形評価統計値とも言う）を算出する。ここで、変形評価統計値は、対象部位としての横隔膜の変形が解析された値であり、例えば、複数の変形評価値から算出され得る。そして、複数の変形評価値に係る統計値（変形評価統計値）の算出によって、対象部位の動きが捉えられた動態画像Ｄ１を用いた高精度な診断が容易に実現され得る。
【００５９】
算出部２３は、図２で示されるように、指標算出部２３１、評価値算出部２３２および統計値算出部２３３を有している。
【００６０】
＜(２−３−１)指標算出部＞
指標算出部２３１は、２以上のフレーム画像ＦＸの各フレーム画像ＦＸを対象として、認識部によって認識された形状関連情報に基づき、線状エッジ領域ＬＸの形状に対応する該形状を表す指標となる値（形状指標値とも言う）をそれぞれ算出する。形状指標値には、例えば、移動変形部分に係る近似直線の傾き、近似円の曲率および近似関数の係数、ならびに該近似直線と移動変形部分上の複数箇所に対応する複数の点とのずれの度合い（近似直線とのずれ度合いとも言う）を示す値のうちの１種類以上の数値が含まれる。本実施形態では、形状指標値として、１種類の数値が算出される。
【００６１】
ここでは、例えば、フレーム画像ＦＸのうちの移動変形部分に含まれる２カ所以上に対応する２以上の点または線状エッジ領域ＬＸに対する近似直線の傾きが、移動変形部分に係る近似直線の傾きとして算出され得る。このような形状指標値としての近似直線の傾きは、横隔膜の外縁の移動変形部分における変形に応じて変化し得る。
【００６２】
また、例えば、フレーム画像ＦＸの移動変形部分に含まれる２カ所以上に対応する２以上の点または線状エッジ領域ＬＸに対する近似円の曲率が、移動変形部分に係る近似円の曲率として算出され得る。このような形状指標値としての近似円の曲率も、横隔膜の外縁の移動変形部分における変形に応じて変化し得る。
【００６３】
また、例えば、フレーム画像ＦＸの移動変形部分に含まれる２カ所以上に対応する２以上の点または線状エッジ領域ＬＸに対する近似関数の係数が、移動変形部分に係る近似関数の係数として算出され得る。このような形状指標値としての近似関数の係数も、横隔膜の外縁の移動変形部分における変形に応じて変化し得る。
【００６４】
また、上記近似直線と、フレーム画像ＦＸの移動変形部分に含まれる２カ所以上に対応する２以上の点または線状エッジ領域ＬＸにおける複数の点とのずれの度合いを示す値が、近似直線とのずれ度合いを示す値として算出され得る。このような形状指標値としての近似直線とのずれ度合いを示す値は、横隔膜の外縁の移動変形部分における平坦度に対応しており、横隔膜の外縁の移動変形部分における変形に応じて変化し得る。
【００６５】
また、指標算出部２３１は、２以上のフレーム画像ＦＸの各フレーム画像ＦＸを対象として、認識部２２によって認識された形状関連情報に基づき、２以上のフレーム画像ＦＸの間における複数点の変位に応じた値（変位指標値とも言う）をそれぞれ算出しても良い。ここで、複数点としては、例えば、フレーム画像ＦＸのうちの移動変形部分に含まれる２カ所以上に対応する２以上の点、または線状エッジ領域ＬＸにおける複数の点等が採用され得る。つまり、各変位指標値は、例えば、フレーム画像ＦＸの移動変形部分に含まれる２カ所以上に対応する２以上の点または線状エッジ領域ＬＸにおける複数の点が対象とされて、２以上のフレーム画像ＦＸの間における変位に応じた値として算出され得る。ここでは、形状関連情報に、移動変形部分に含まれる１カ所以上に対応する１以上の点の絶対的な位置を示す位置情報が含まれることで、変位指標値が算出され得る。
【００６６】
以下、形状指標値としての、近似直線の傾き、近似円の曲率、近似関数の係数、および近似直線とのずれ度合いを示す値の算出方法について順に説明し、その後、変位指標値の算出方法について説明する。
【００６７】
＜(２−３−１−１)近似直線の傾きの算出方法＞
近似直線は、認識部２２で認識された形状関連情報に基づいて算出され得る。
【００６８】
ここで、例えば、認識部２２で各フレーム画像ＦＸについて線状エッジ領域ＬＸの位置情報および形状情報の１以上の情報が形状関連情報として認識されていれば、線状エッジ領域ＬＸは、複数の画素の集合であり、複数の点の集合としてみなされ得る。そこで、例えば、線状エッジ領域ＬＸを構成する複数の点の集合について、最小二乗法等を用いて近似直線が算出され得る。
【００６９】
図７および図８は、横隔膜の外縁の移動変形部位に係る近似直線がそれぞれ求められる様子を示す図である。図７および図８では、破線で示される線状エッジ領域ＬＸＲに対する近似直線Ｌ１ＸＲがそれぞれ太線で示されている。
【００７０】
また、例えば、認識部２２で各フレーム画像ＦＸについて移動変形部分の２カ所以上に対応するフレーム画像ＦＸの２以上の点に係る位置情報が形状関連情報として認識されていれば、該２以上の点について、最小二乗法等を用いて近似直線Ｌ１Ｘが算出され得る。
【００７１】
＜(２−３−１−２)近似円の曲率の算出方法＞
近似円は、認識部２２で認識された形状関連情報に基づいて算出され得る。
【００７２】
ここで、例えば、認識部２２で各フレーム画像ＦＸについて線状エッジ領域ＬＸの位置情報および形状情報の１以上の情報が形状関連情報として認識されていれば、線状エッジ領域ＬＸを構成する複数の点の集合について、最小二乗法等を用いて近似円が算出され得る。また、例えば、認識部２２において各フレーム画像ＦＸについて移動変形部分の２カ所以上に対応するフレーム画像ＦＸの２以上の点に係る位置情報が形状関連情報として認識されていれば、該２以上の点について、最小二乗法等を用いて近似円が算出され得る。そして、例えば、近似円の半径の逆数が、近似円の曲率として算出され得る。
【００７３】
図９は、横隔膜の外縁の移動変形部位に係る近似円が求められる様子を示す図である。図９では、破線で示される線状エッジ領域ＬＸＲに対する近似円Ｃ１ＸＲが太線で示されている。
【００７４】
＜(２−３−１−３)近似関数の係数の算出方法＞
近似関数は、認識部２２で認識された形状関連情報に基づいて算出され得る。ここで、近似関数は、上述した近似直線としての１次関数とは異なる他の関数である。該近似関数としては、例えば、２次関数および該２次関数よりも高次の関数が採用され得る。ここでは、移動変形部分の形状を近似的に表現することが可能な次数の関数が採用されれば良い。例えば、横隔膜の外縁の移動変形部分については、２次関数によって形状が近似的に表現され得る。
【００７５】
ここで、例えば、認識部２２で各フレーム画像ＦＸについて線状エッジ領域ＬＸの位置情報および形状情報の１以上の情報が形状関連情報として認識されていれば、線状エッジ領域ＬＸを構成する複数の点の集合に対し、最小二乗法等を用いて近似関数が算出され得る。また、例えば、認識部２２において各フレーム画像ＦＸについて移動変形部分の３カ所以上に対応するフレーム画像ＦＸの３以上の点に係る位置情報が形状関連情報として認識されていれば、該３以上の点について、最小二乗法等を用いて近似関数が算出され得る。
【００７６】
図１０は、横隔膜の外縁の移動変形部位に係る近似関数が求められる様子を示す図である。図１０では、破線で示される線状エッジ領域ＬＸＲに対する近似関数Ｆ１ＸＲが太線で示されている。
【００７７】
＜(２−３−１−４)近似直線とのずれ度合いを示す値の算出方法＞
近似直線とのずれ度合いを示す値は、認識部２２で認識された形状関連情報に基づいて算出され得る。ここでは、まず、上述した近似直線の算出方法と同様な方法で近似直線が算出され得る。そして、該近似直線と、フレーム画像ＦＸの移動変形部分に含まれる２カ所以上に対応する２以上の点または線状エッジ領域ＬＸにおける複数の点とのずれの度合い（近似直線とのずれ度合い）を示す値が算出され得る。
【００７８】
ここで、例えば、認識部２２で各フレーム画像ＦＸについて線状エッジ領域ＬＸの位置情報および形状情報の１以上の情報が形状関連情報として認識されていれば、線状エッジ領域ＬＸを構成する複数の点について、該複数の点と近似直線とのずれ度合いを示す値が算出され得る。また、例えば、認識部２２で各フレーム画像ＦＸについて移動変形部分の２カ所以上に対応するフレーム画像ＦＸの２以上の点に係る位置情報が形状関連情報として認識されていれば、該２以上の点と、近似直線とのずれ度合いを示す値が算出され得る。
【００７９】
このとき、例えば、２以上の点または複数の点と近似直線との距離に係る統計値が、近似直線とのずれ度合いを示す値として算出され得る。ここで、統計値として、例えば、２以上の点または複数の点と近似直線との距離の平均値、最大値、あるいは分散または標準偏差等のばらつきを示す値等が採用されれば、ずれ度合いを示す値は、横隔膜のうちの移動変形部分の外縁の平坦度を良好に表現し得る。
【００８０】
＜(２−３−１−５)変位指標値の算出方法＞
変位指標値は、認識部２２で認識された形状関連情報に基づいて算出され得る。
【００８１】
ここで、例えば、認識部２２で各フレーム画像ＦＸについて線状エッジ領域ＬＸの位置情報および形状情報の１以上の情報が形状関連情報として認識されていれば、各線状エッジ領域ＬＸ上において、複数点ＰＸが認識され得る。また、例えば、認識部２２で各フレーム画像ＦＸについて移動変形部分の２カ所以上に対応するフレーム画像ＦＸの２以上の点に係る位置情報が形状関連情報として認識されていれば、該２以上の点が、複数点ＰＸとして扱われ得る。
【００８２】
そして、例えば、２以上のフレーム画像ＦＸの間における複数点ＰＸの変位に応じた変位指標値がそれぞれ算出され得る。２以上のフレーム画像ＦＸが、２つのフレーム画像ＦＸであれば、例えば、２つのフレーム画像ＦＸの間における複数点ＰＸの変位量がそれぞれ複数点ＰＸの変位に応じた変位指標値として算出され得る。
【００８３】
図１１は、横隔膜の外縁の移動変形部位に係る変位指標値の算出方法を説明するための図である。
【００８４】
図１１には、動態画像Ｄ１を構成する複数のフレーム画像ＦＸのうち、フレーム画像Ｆｍ（ｍは自然数）および該フレーム画像Ｆｍよりもａ番目後のフレーム画像Ｆｍ＋ａにおける右横隔膜の線状エッジ領域ＬｍＲ，Ｌ（ｍ＋ａ）Ｒがそれぞれ破線で示されている。ここで、ａは予め設定された自然数であれば良い。また、図１１には、各線状エッジ領域ＬＸＲ上の複数点ＰＸとしての両端近傍の２点ＰＸＲ１，ＰＸＲ３が示されている。具体的には、線状エッジ領域ＬｍＲ上の両端近傍の２点ＰｍＲ１，ＰｍＲ３および線状エッジ領域Ｌ（ｍ＋ａ）Ｒ上の両端近傍の２点Ｐ（ｍ＋ａ）Ｒ１，Ｐ（ｍ＋ａ）Ｒ３がそれぞれ示されている。点Ｐ（ｍ＋ａ）Ｒ１と点ＰｍＲ１とは対応する点であり、横隔膜の同一箇所が捉えられている点である。また、点Ｐ（ｍ＋ａ）Ｒ３と点ＰｍＲ３とは対応する点であり、横隔膜の他の同一箇所が捉えられている点である。
【００８５】
図１１で示される例では、例えば、２つのフレーム画像Ｆｍ，Ｆ（ｍ＋ａ）の間において、複数点ＰＸとしての２点ＰＸＲ１，ＰＸＲ３の変位量Ｔｒ１，Ｔｒ３が変位指標値としてそれぞれ算出される。例えば、点ＰｍＲ１と点Ｐ（ｍ＋ａ）Ｒ１との間における距離が、例えば、変位量Ｔｒ１として算出され得る。また、点ＰｍＲ３と点Ｐ（ｍ＋ａ）Ｒ３との間における距離が、例えば、変位量Ｔｒ３として算出され得る。距離は、例えば、座標値等に基づいて算出され得る。
【００８６】
ところで、例えば、複数点ＰＸの変位に応じた各変位指標値の算出対象としての２以上のフレーム画像ＦＸが、３つのフレーム画像ＦＸであれば、該３つのフレーム画像ＦＸの間における変位の変化の加速度が変位評価値として算出される態様も考えられる。このとき、変位の変化の加速度としては、例えば、３つのフレーム画像ＦＸのうちの第１フレーム画像と第２フレーム画像との間における変位と、該３つのフレーム画像ＦＸのうちの第２フレーム画像と第３フレーム画像との間における変位との差が採用され得る。
【００８７】
＜(２−３−２)評価値算出部＞
評価値算出部２３２は、指標算出部２３１によって各フレーム画像ＦＸが対象とされて形状指標値が算出されていれば、２以上のフレーム画像ＦＸの間における形状指標値の変化の度合いに係る評価値を変形評価値として算出する。これにより、２以上のフレーム画像ＦＸの間における対象部位の変形に係る評価値が容易に算出され得る。そして、本実施形態では、評価値算出部２３２が、動態画像Ｄ１において複数組のフレーム画像ＦＸをそれぞれ構成する２以上のフレーム画像ＦＸの間における形状指標値の変化の度合いに係る評価値を変形評価値として算出する。これにより、時間方向に変化する複数の変化評価値が取得され得る。
【００８８】
ここで、例えば、各組のフレーム画像ＦＸを構成する２以上のフレーム画像ＦＸが、２つのフレーム画像ＦＸであれば、該２つのフレーム画像ＦＸの間における形状指標値の変化の度合いを示す値が変形評価値として算出され得る。このとき、形状指標値の度合いを示す値としては、例えば、一方の形状指標値から他方の形状指標値が減じられることで得られる形状指標値の差分、および一方の形状指標値が他方の形状指標値で除されることで得られる形状指標値の比率等が採用され得る。
【００８９】
また、例えば、各組のフレーム画像ＦＸを構成する２以上のフレーム画像ＦＸが、３つのフレーム画像ＦＸであれば、該３つのフレーム画像ＦＸの間における形状指標値の変化の度合いを示す値が変形評価値として算出され得る。このとき、形状指標値の変化の度合いを示す値としては、例えば、形状指標値の変化の加速度等が採用され得る。形状指標値の変化の加速度としては、例えば、３つのフレーム画像ＦＸのうちの第１フレーム画像と第２フレーム画像との間における形状指標値の差分と、該３つのフレーム画像ＦＸのうちの第２フレーム画像と第３フレーム画像との間における形状指標値の差分との差が採用され得る。
【００９０】
また、評価値算出部２３２は、指標算出部２３１によって２以上のフレーム画像ＦＸの間における複数点の変位に応じた変位指標値が算出されていれば、該複数点の間における変位指標値のばらつきの度合いを示す評価値を変形評価値として算出する。そして、本実施形態では、評価値算出部２３２が、動態画像Ｄ１において複数組のフレーム画像ＦＸをそれぞれ構成する２以上のフレーム画像ＦＸに係る変位指標値の複数点の間におけるばらつきの度合いを示す評価値を変形評価値として算出する。
【００９１】
ここで、各組のフレーム画像ＦＸを構成する２以上のフレーム画像ＦＸの間隔が適宜異なっていれば、補正係数の乗算等の補正処理が適宜施されることで、比較可能な複数の変形評価値が算出され得る。但し、各組のフレーム画像ＦＸを構成する２以上のフレーム画像ＦＸの間隔が一定であれば、特別な補正処理が施されることなく容易に比較可能な複数の変形評価値が精度良く算出され得る。
【００９２】
また、該２以上のフレーム画像ＦＸの間隔は、例えば、動態画像Ｄ１を構成する隣接するフレーム画像ＦＸの間隔であっても良いし、動態画像Ｄ１を構成するある程度離れたフレーム画像ＦＸの間隔であっても良い。そして、各組のフレーム画像ＦＸを構成する２以上のフレーム画像ＦＸの間隔は、例えば、移動変形部位としての横隔膜の変形の早さおよび周期、ならびに動態画像Ｄ１におけるフレームレートに応じて適宜設定されれば良い。ここで、該２以上のフレーム画像ＦＸの間隔が、横隔膜の動きの１周期よりも明らかに短ければ、横隔膜の動きの適切な評価が可能となる。具体的には、例えば、横隔膜の動きの１周期が３秒程度であり、動態画像Ｄ１におけるフレームレートが１５枚／秒であれば、２以上のフレーム画像ＦＸの間隔が、１／３秒に対応する５フレーム間隔等に設定される態様が採用され得る。
【００９３】
また、動態画像Ｄ１の各フレーム画像ＦＸがそれぞれ基準とされて、各組のフレーム画像ＦＸが設定されれば、変形評価値の詳細な変化に係る情報が得られる。例えば、動態画像Ｄ１の予め設定された所定数のフレーム画像ＦＸ毎に、各組のフレーム画像ＦＸが設定されても良い。このとき、例えば、動態画像Ｄ１において、複数の組のフレーム画像ＦＸのうちの１組のフレーム画像ＦＸに挟まれる１以上のフレーム画像ＦＸが他の組のフレーム画像ＦＸを構成する態様が採用され得る。
【００９４】
なお、評価値算出部２３２による変形評価値の算出対象となる全ての組のフレーム画像ＦＸが、移動変形部分が一方向に移動する期間（半周期）よりも短い期間に対応していれば、変形方向の切り替わりに因る悪影響が生じ難い。
【００９５】
ここで、形状指標値としての近似直線の傾き、近似円の曲率、近似関数の係数、および近似直線とのずれ度合いを示す値に係る変形評価値の算出、ならびに変位指標値に係る変形評価値の算出について説明する。
【００９６】
＜(２−３−２−１)近似直線の傾きに係る変形評価値の算出＞
横隔膜の外縁の移動変形部分に係る近似直線の傾きが急激に変化する場合、呼吸に伴って横隔膜の角度が急激に変化しているものと推察される。このため、時間の経過に応じた近似直線の傾きの変化が評価されれば、横隔膜の外縁の移動変形部分における動きの異状が容易に認識され得る。
【００９７】
そこで、指標算出部２３１によって近似直線の傾きが形状指標値として算出される場合、評価値算出部２３２では、近似直線の傾きの変化の度合いに係る変形評価値が算出される。例えば、本実施形態では、評価値算出部２３２において、動態画像Ｄ１において複数組のフレーム画像ＦＸをそれぞれ構成する２以上のフレーム画像ＦＸの間における形状指標値としての近似直線の傾きの変化の度合いに係る変形評価値が算出される。これにより、時間方向に変化する複数の変化評価値が取得され得る。
【００９８】
＜(２−３−２−２)近似円の曲率に係る変形評価値の算出＞
横隔膜の外縁の移動変形部分に係る近似円の曲率が急激に変化する場合、呼吸に伴って横隔膜の曲がり度合い（すなわち形）が急激に変化しているものと推察される。このため、時間の経過に応じた近似円の曲率の変化が評価されれば、横隔膜の外縁の移動変形部分における動きの異状が容易に認識され得る。
【００９９】
そこで、指標算出部２３１によって近似円の曲率が形状指標値として算出される場合、評価値算出部２３２では、近似円の曲率の変化の度合いに係る変形評価値が算出される。例えば、本実施形態では、評価値算出部２３２において、動態画像Ｄ１において複数組のフレーム画像ＦＸをそれぞれ構成する２以上のフレーム画像ＦＸの間における形状指標値としての近似円の曲率の変化の度合いに係る変形評価値が算出される。これにより、時間方向に変化する複数の変化評価値が取得され得る。
【０１００】
＜(２−３−２−３)近似関数の係数に係る変形評価値の算出＞
横隔膜の外縁の移動変形部分に係る近似関数の係数が急激に変化する場合、呼吸に伴って横隔膜の曲がり度合い（すなわち形）が急激に変化しているものと推察される。例えば、近似関数が２次関数であれば、２次関数の２次項の係数が急激に変化する場合、呼吸に伴って横隔膜の曲がり度合いが急激に変化しているものと推察される。このため、時間の経過に応じた近似関数としての２次関数の２次項の係数の変化が評価されれば、横隔膜の外縁の移動変形部分における動きの異状が容易に認識され得る。
【０１０１】
そこで、例えば、指標算出部２３１によって近似関数である２次関数の２次項の係数が形状指標値として算出される場合、評価値算出部２３２では、近似関数である２次関数の２次項の係数の変化の度合いに係る変形評価値が算出される。例えば、本実施形態では、評価値算出部２３２において、動態画像Ｄ１において複数組のフレーム画像ＦＸをそれぞれ構成する２以上のフレーム画像ＦＸの間における形状指標値としての近似関数の係数の変化の度合いに係る変形評価値が算出される。これにより、時間方向に変化する複数の変化評価値が取得され得る。
【０１０２】
＜(２−３−２−４)近似直線とのずれ度合いに係る変形評価値の算出＞
横隔膜の外縁の移動変形部分に係る近似直線と移動変形部分上の複数箇所に対応する複数の点とのずれの度合い（近似直線とのずれ度合い）によって、横隔膜の平坦度が評価され得る。そして、近似直線とのずれ度合いが急激に変化する場合、呼吸に伴って横隔膜の平坦度（すなわち形）が急激に変化しているものと推察される。例えば、近似直線とのずれ度合いが小さければ横隔膜の平坦度が大きく、近似直線とのずれ度合いが大きければ横隔膜の平坦度が小さいものと推察される。このため、時間の経過に応じた近似直線とのずれ度合いの変化が評価されれば、横隔膜の外縁の移動変形部分の平坦度が如何に変化したのかが評価され得る。その結果、横隔膜の外縁の移動変形部分における動きの異状が容易に認識され得る。
【０１０３】
そこで、指標算出部２３１によって近似直線とのずれ度合いに係る値が形状指標値として算出される場合、評価値算出部２３２では、近似直線とのずれ度合いに係る値の変化の度合いに係る変形評価値が算出される。例えば、本実施形態では、評価値算出部２３２において、動態画像Ｄ１において複数組のフレーム画像ＦＸをそれぞれ構成する２以上のフレーム画像ＦＸの間における形状指標値としての近似直線とのずれ度合いに係る値の変化の度合いに係る変形評価値が算出される。これにより、時間方向に変化する複数の変化評価値が取得され得る。
【０１０４】
＜(２−３−２−５)変位指標値からの変形評価値の算出方法＞
２以上のフレーム画像ＦＸの間において、横隔膜の外縁の移動変形部分に対応する複数点ＰＸについての変位が類似していれば、呼吸の実行にも拘わらず、横隔膜の形状が余り変化していないものと推察される。逆に、２以上のフレーム画像ＦＸの間において、横隔膜の外縁の移動変形部分に対応する複数点ＰＸについての変位が大きく異なっていれば、呼吸に伴って、横隔膜の形状が急激に変化しているものと推察される。このため、複数点ＰＸについての変位に係るばらつきの度合いが評価されれば、横隔膜の外縁の移動変形部分における動きの異状が容易に認識され得る。
【０１０５】
そこで、指標算出部２３１によって複数点に係る変位指標値が算出される場合、評価値算出部２３２では、該複数点に係る変位指標値のばらつきの度合いに係る評価値が算出される。例えば、本実施形態では、評価値算出部２３２において、動態画像Ｄ１において複数組のフレーム画像ＦＸをそれぞれ構成する２以上のフレーム画像ＦＸに係る変形指標値の複数点の間におけるばらつきの度合いを示す変形評価値が算出される。これにより、時間方向に変化する複数の変化評価値が取得され得る。
【０１０６】
ここで、ばらつきの度合いには、例えば、複数点の間における変位指標値についての差分値、比率および統計値の少なくとも１つの値等が含まれ得る。また、該統計値には、例えば、分散、標準偏差、最大値と最小値との差、および最大値と最小値との比率等が含まれ得る。なお、図１１で示される例では、複数点ＰＸＲ１，ＰＸＲ３の間における変位指標値についての差分値は、変位量Ｔｒ１から変位量Ｔｒ３が減じられた値となる。なお、複数点ＰＸＲ１，ＰＸＲ３の間における変位指標値についての比率としては、例えば、変位量Ｔｒ１を変位量Ｔｒ３で除した値、または変位量Ｔｒ３を変位量Ｔｒ１で除した値等が採用され得る。
【０１０７】
ここで、ばらつきの度合いが小さければ、横隔膜の外縁の移動変形部分は殆ど変形することなく、横隔膜の外縁の移動変形部分に対応する複数点ＰＸは略平行に移動しているものと推察される。一方、ばらつきの度合いが大きければ、横隔膜の外縁の移動変形部分は、変形しながら移動しているものと推察される。
【０１０８】
＜(２−３−３)統計値算出部＞
統計値算出部２３３は、動態画像Ｄ１における２以上の組のフレーム画像ＦＸを対象として評価値算出部２３２で算出された複数の変形評価値に係る統計値（変形評価統計値）を算出する。この変形評価統計値を適宜参照することで、対象部位としての横隔膜の動きが捉えられた動態画像Ｄ１を用いた高精度な診断が容易に実現され得る。ここで算出される変形評価統計値には、複数の変形評価値の最大値、最小値、中央値および平均値の少なくとも１つの値が含まれ得る。これにより、複数の変形評価値に係る統計値が容易に算出され得る。
【０１０９】
ここで、例えば、変形評価統計値として、複数の変形評価値の最大値が算出されると、対象部位としての横隔膜における顕著な変形を伴う動きが捉えられ得る。また、例えば、変形評価統計値として、複数の変形評価値の最小値が算出されると、対象部位としての横隔膜が大きく変形する期間に変形評価値の最小値が小さ過ぎる異状が捉えられ得る。
【０１１０】
図１２および図１３は、時間の経過に応じた変形評価値の変化の一例を示す図である。図１２および図１３には、２点の変位指標値の時間的な変化が示されており、各タイミングにおける２点の変位指標値のばらつきの程度を示す変位指標値の差が変形評価値に相当する。そして、図１２には、健常者についての時間の経過に応じた変形評価値の変化の一例が示されており、図１３には、ＣＯＰＤの患者についての時間の経過に応じた変形評価値の変化の一例が示されている。
【０１１１】
具体的には、図１２および図１３には、横隔膜の外縁の移動変形部分における両端近傍の２カ所に対応する２点の変位指標値について、安静呼吸時の呼気が行われている際における時間的な変化が例示されている。図１２および図１３では、横軸が、変位指標値の算出対象としての各組のフレーム画像ＦＸのうちの前側の順番（基準フレーム順とも言う）を示し、縦軸が、各組のフレーム画像ＦＸについての２点それぞれに係る変位指標値を示す。ここでは、図１１で示された右横隔膜の外縁の移動変形部分に係る両端の近傍の点ＰＸＲ１，ＰＸＲ３についての変位指標値が例示されている。具体的には、肋横角側の点ＰＸＲ１に係る変位指標値が、黒塗りの四角印で示され、その基準フレーム順に応じた変位指標値の変化が実線で描かれている。また、心臓側の点ＰＸＲ３に係る変位指標値が、黒塗りの三角印で示され、その基準フレーム順に応じた変位指標値の変化が太い破線で示されている。そして、変形評価統計値としての、２点に係る変形指標値の差における最大値が、図１２および図１３では、両矢印の長さで示されている。
【０１１２】
図１２および図１３で示されるように、健常者とＣＯＰＤの患者との間で、変形評価統計値としての２点に係る変形指標値の差の最大値が、大きく異なる。このため、このような変形評価統計値を適宜参照することで、対象部位としての横隔膜の動きが捉えられた動態画像Ｄ１を用いた高精度な診断が容易に実現され得る。
【０１１３】
＜(２−４)出力制御部＞
出力制御部２４は、表示部５における情報の可視的な出力、およびＩ／Ｆ部４による外部装置１００への情報の出力を制御する。ここで、表示部５において可視的に出力される情報、およびＩ／Ｆ部４によって外部装置１００に出力される情報には、例えば、算出部２３における演算処理の結果に係る情報が含まれる。演算処理の結果に係る情報には、例えば、統計値算出部２３３で算出される統計値、および評価値算出部２３２で算出される変形評価値等が含まれ得る。このとき、統計値と、予め設定された値域あるいは閾値とが比較されて、対象部位に異状が生じている旨、および対象部位に生じている可能性がある異状の種類等と言った情報が出力されても良い。
【０１１４】
＜(３)変形解析処理の動作フロー＞
図１４は、画像処理装置１において実行される変形解析処理の動作フローの一例を示すフローチャートである。本動作フローは、例えば、プログラムＰ１を実行する制御部２によって実現され得る。ここでは、ユーザーによる操作部６の操作に応じて、変形解析処理が開始され、ステップＳ１〜Ｓ４の処理が順に行われる。
【０１１５】
ステップＳ１では、取得部２１によって、動態画像Ｄ１が取得される。
【０１１６】
ステップＳ２では、認識部２２によって、ステップＳ１で取得された動態画像Ｄ１を構成する２以上のフレーム画像ＦＸの各フレーム画像ＦＸが対象とされて、移動変形部分の形状に関する形状関連情報が認識される。
【０１１７】
ステップＳ３では、算出部２３によって、ステップＳ２によって各フレーム画像ＦＸを対象として認識された形状関連情報に基づき、時間の経過に応じた移動変形部分の変形に係る変形評価値が算出される。さらに、本実施形態に係るステップＳ３では、算出部２３によって、動態画像Ｄ１における２以上の組のフレーム画像ＦＸを対象として算出された複数の変形評価値の統計値が算出される。
【０１１８】
ステップＳ４では、出力制御部２４によって、ステップＳ３で算出された演算処理の結果に係る情報が出力される。
【０１１９】
＜(４)まとめ＞
以上のように、一実施形態に係る画像処理装置１では、動態画像Ｄ１を構成する２以上のフレーム画像ＦＸの各フレーム画像ＦＸが対象とされて、移動変形部分の形状に関する形状関連情報が認識される。そして、認識された複数の形状関連情報に基づき、時間の経過に応じた移動変形部分の変形に係る変形評価値が算出される。また、動態画像Ｄ１における２以上の組のフレーム画像ＦＸを対象として算出された複数の変形評価値の統計値（変形評価統計値）が算出される。これにより、変形評価値および変形評価統計値等と言った診断に資する客観的な指標が得られることで、生体としてのヒトの体内の対象部位としての横隔膜の動きが捉えられた動態画像Ｄ１を用いた高精度な診断が実現され得る。
【０１２０】
＜(５)変形例＞
なお、本発明は上述の一実施形態に限定されるものではなく、本発明の要旨を逸脱しない範囲において種々の変更、改良等が可能である。
【０１２１】
例えば、上記一実施形態では、動態画像Ｄ１における２以上の組のフレーム画像ＦＸを対象として算出された複数の変形評価値の統計値が算出されたが、これに限られない。例えば、動態画像Ｄ１における１組のフレーム画像ＦＸのみが対象とされて変形評価値が算出されても良い。具体例としては、１組のフレーム画像ＦＸが、最大呼気時に対応するフレーム画像ＦＸと、最大吸気時に対応するフレーム画像ＦＸとの組であれば、算出される変形評価値が診断に資する客観的な指標となり得る。その結果、生体としてのヒトの体内の対象部位としての横隔膜の動きが捉えられた動態画像Ｄ１を用いた高精度な診断が実現され得る。
【０１２２】
また、上記一実施形態では、動態画像Ｄ１における２以上の組のフレーム画像ＦＸを対象として算出された複数の変形評価値についての統計値が算出されたが、これに限られない。例えば、複数の変形評価値についての統計値までは算出されることなく、複数の変形評価値が算出される態様が採用されても良い。このような場合には、例えば、時間の経過に応じた複数の変形評価値の変化がグラフ等の形態で可視的に出力されれば、診断に資する客観的な指標となり得る。また、複数点に係る変位指標値から変形評価値が算出されることなく、図１２および図１３で示されるように、時間の経過に応じた各点に係る変位指標値の変化が可視的に出力されても、診断に資する客観的な指標となり得る。このため、高精度な診断が実現され得る。
【０１２３】
また、上記一実施形態では、動態画像Ｄ１を構成する各フレーム画像ＦＸが２次元の画像であったが、これに限られない。例えば、各フレーム画像ＦＸが３次元の画像であっても良い。３次元の画像は、例えば、コンピューター断層撮影法（ＣＴ：Computed Tomography）等によって取得され得る。各フレーム画像ＦＸが３次元の画像であれば、フレーム画像ＦＸのうちの移動変形部分に対応するエッジ領域は、例えば、面状の領域として認識されても良いし、１つの断面像の線状の領域として認識されても良い。すなわち、移動変形部分に対応するエッジ領域には、例えば、線状の領域および面状の領域の少なくとも一方の領域が含まれ得る。
【０１２４】
また、上記一実施形態では、認識部２２による位置情報の認識には、線状認識および点状認識が含まれたが、これに限られない。例えば、各フレーム画像ＦＸが３次元の画像であれば、認識部２２による位置情報の認識として、移動変形部分に対応する面状に配されている２カ所以上の画素の位置の認識（面状認識とも言う）が採用されても良い。また、面状の移動変形部分に含まれる離散的な２カ所以上の画素の位置の認識（点状認識）が採用されても良い。
【０１２５】
また、上記一実施形態では、動態画像Ｄ１における全てのフレーム画像ＦＸに関して、形状表現情報が認識されたが、これに限られない。例えば、動態画像Ｄ１を構成する複数のフレーム画像ＦＸのうちの評価対象としての複数組のフレーム画像ＦＸについて、形状表現情報が認識されれば、不要な演算の省略によって、演算速度の向上が図られ得る。
【０１２６】
また、上記一実施形態では、形状指標値および変位指標値のうちの何れか一方の数値が算出され、また、形状指標値としては、１種類の数値が算出されたが、これに限られない。例えば、形状指標値および変位指標値の少なくとも一方の数値が算出されても良いし、形状指標値として、２種類以上の数値が算出されても良い。そして、例えば、形状指標値および変位指標値の双方が算出される場合には、例えば、形状指標値に基づく変形評価値および変位指標値に基づく変位評価値の双方が算出されても良い。また、形状指標値として、２種類以上の数値が算出される場合には、例えば、形状指標値の種類毎に変形評価値が算出されても良い。
【０１２７】
上記一実施形態では、近似直線とのずれ度合いを示す値が、近似直線と移動変形部分上の複数箇所に対応する複数の点とのずれの度合いを示す値であったが、これに限られない。例えば、近似直線と移動変形部分に含まれる１カ所に対応する１点とのずれの度合いを示す値であっても良い。すなわち、近似直線とのずれ度合いを示す値は、近似直線と移動変形部分に含まれる１カ所以上に対応する１以上の点とのずれの度合いであれば良い。該１以上の点としては、例えば、近似直線を算出する際に用いられた２以上の点およびエッジ領域に含まれる点（例えば、頂点部等）等が採用され得る。なお、近似直線と移動変形部分に含まれる１カ所に対応する１点とのずれの度合いを示す値としては、例えば、近似直線と該１点との距離等が採用され得る。
【０１２８】
また、上記一実施形態では、対象部位が、横隔膜であったが、これに限られない。例えば、対象部位が、外縁が時間の経過に応じて移動しながら変形する心臓等と言った生体の他の部位であっても良い。つまり、対象部位に、例えば、横隔膜および心臓のうちの少なくとも１つの部位が含まれる態様が採用され得る。これにより、横隔膜および心臓等の動きが捉えられた動態画像を用いた高精度な診断が実現され得る。
【０１２９】
また、上記一実施形態では、形状指標値の１例として、近似円の曲率が挙げられたが、これに限られず、例えば、近似円の曲率半径が形状指標値として採用されても良い。
【０１３０】
また、上記一実施形態では、Ｘ線を用いた撮影によって動態画像Ｄ１が得られたが、これに限られない。例えば、核磁気共鳴画像法（Magnetic Resonance Imaging：ＭＲＩ）装置および超音波診断装置（エコー）等のその他のモダリティーによって動態画像Ｄ１が取得されても良い。
【０１３１】
なお、上記一実施形態および各種変形例をそれぞれ構成する全部または一部を、適宜、矛盾しない範囲で組み合わせ可能であることは、言うまでもない。
【符号の説明】
【０１３２】
１  画像処理装置
２  制御部
２ａ  プロセッサー
２ｂ  メモリー
３  記憶部
５  表示部
６  操作部
２１  取得部
２２  認識部
２３  算出部
２４  出力制御部
１００  外部装置
２３１  指標算出部
２３２  評価値算出部
２３３  統計値算出部
Ｄ１  動態画像
Ｐ１  プログラム
【図１】
2019171102.tif 000003
【図２】
2019171102.tif 000004
【図３】
2019171102.tif 000005
【図４】
2019171102.tif 000006
【図５】
2019171102.tif 000007
【図６】
2019171102.tif 000008
【図７】
2019171102.tif 000009
【図８】
2019171102.tif 000010
【図９】
2019171102.tif 000011
【図１０】
2019171102.tif 000012
【図１１】
2019171102.tif 000013
【図１２】
2019171102.tif 000014
【図１３】
2019171102.tif 000015
【図１４】
2019171102.tif 000016